(57)【要約】【課題】電気回路に過電流が生じている場合であって、且つヒューズが溶断されるほど電流が上昇していない場合において、電気回路の電気的導通を速やかに遮断することができる導通遮断装置を提供する。【解決手段】本発明の導通遮断装置は、ハウジング１７の内部の収容室１８に移動可能に収容された可動部材１９と、収容室１８に配設されて作動信号の入力に伴いガスを発生するガス発生器２２と、ハウジング１７内に延設された導通部材１６とを備えている。こうした導通遮断装置において、導通部材１６に該導通部材１６を流れる電流が所定値以上となると溶断する部位を含むヒューズ部Ｒｈを形成し、同ヒューズ部Ｒｈは、ガス発生器２２が発生するガスの圧力により可動部材１９が移動することで分断されるようにした。【選択図】図３
2014049272.tif 000002
【特許請求の範囲】
【請求項１】
ハウジング内部の収容室に移動可能に収容された可動部材と、前記収容室に配設されて作動信号の入力に伴いガスを発生するガス発生器と、前記ハウジング内に延設された導通部材とを備え、
前記導通部材は該導通部材を流れる電流が所定値以上となると溶断する部位を含むヒューズ部が形成されてなり、
前記ヒューズ部は、前記ガス発生器が発生するガスの圧力により前記可動部材が移動することで分断される導通遮断装置。
【請求項２】
請求項１に記載の導通遮断装置において、
前記ヒューズ部には分断予定部が形成され、
前記可動部材は前記導通部材に固定されて前記ガスの圧力により同導通部材と一体に移動することで前記分断予定部に引っ張り力を付与する
ことを特徴とする導通遮断装置。
【請求項３】
請求項１に記載の導通遮断装置において、
前記ヒューズ部は、前記可動部材の移動方向前方を遮る形状で延設されてなり、
前記可動部材には、その移動方向前方に突設した切断部が形成されてなる
ことを特徴とする導通遮断装置。
【請求項４】
請求項１〜３のいずれか一項に記載の導通遮断装置において、
前記収容室において前記可動部材が移動するときに該可動部材と当接する部分の形状が、前記可動部材の移動方向前方ほど先細の形状に形成されてなる
ことを特徴とする導通遮断装置。
【請求項５】
請求項１〜４のいずれか一項に記載の導通遮断装置において、
前記ハウジングは、車両に搭載されるバッテリに対して接続状態又は非接続状態とされることにより前記バッテリの導通、非導通を切替えるサービスプラグのハウジングである
ことを特徴とする導通遮断装置。
【発明の詳細な説明】
【技術分野】
【０００１】
この発明は、電気回路の電気的導通を遮断する導通遮断装置に関する。
【背景技術】
【０００２】
ハイブリッド自動車や電気自動車等の車両には、走行用のモータに電力を供給する高電圧のバッテリが搭載されている。こうした高電圧のバッテリを搭載する車両では、作業者の安全を確保するために、車両の点検や整備の際には電気回路の電気的導通を遮断してこれを非導通状態とすることが望ましい。そのため、バッテリには、サービスプラグが設けられている。このサービスプラグは、バッテリに接続されているときにはバッテリ内のセル同士を電気的に接続してバッテリを導通状態にする。また、サービスプラグがバッテリから取り外されると、セルの電気的接続が遮断されバッテリが非導通状態となる。点検時等には、作業者がこのサービスプラグをバッテリから取り外すことによってバッテリを非導通状態とし、電気回路に不要な電流が流れることを防止するようにしている（例えば、特許文献１参照）。
【０００３】
また、車両が衝突等してバッテリから漏電した場合には、電気回路に大電流が流れて電気機器等が故障してしまうおそれがある。そのため、特許文献２に記載の装置のように、上記サービスプラグにヒューズを設け、電気回路に大電流が流れた際にヒューズの溶断によって電気回路を非導通状態とするものが考案されている。
【０００４】
その他、電気回路には、こうしたヒューズとは別にリレー回路が設けられている。そして、このリレー回路の開閉状態を切替えることによっても、電気回路の導通、非導通状態を切替えることができる。
【先行技術文献】
【特許文献】
【０００５】
【特許文献１】特開２００２‐３４３３３１号公報
【特許文献２】特開２００６‐３２７２５１号公報
【発明の概要】
【発明が解決しようとする課題】
【０００６】
ところで、リレー回路では、電気回路に大電流が流れているときにその開閉が繰り返されると、アーク放電によって接点が溶融するおそれがある。そのため、こうしたリレー回路では、電気回路に流れている電流が定格電流以下であるときにその開閉状態の切り替えが行われることを想定して設計されている。したがって、リレー回路が開閉される定格電流を上回る電流が電気回路に流れる場合には、リレー回路では対処できず、上述したヒューズによって電気回路を非導通状態とする必要がある。
【０００７】
但し、ヒューズでは、その溶断する際の電流値の閾値をある程度余裕を持った高い値に設定しなければならない。すなわち、電気回路では、非導通状態から導通状態に切替えた際に瞬間的に大きな電流、いわゆる突入電流が流れる場合がある。そのため、こうした突入電流を許容して異常時のみにヒューズが溶断されるようにするためには、その溶断が生じる電流値をある程度余裕を持った高い値に設定せざるを得ない。そのため、ヒューズを有する電気回路では、故障等によって電流値が上昇したとしても、その電流値がある程度大きくなるまでは電気回路を非導通状態とすることができないおそれがある。
【０００８】
本発明はこうした実情に鑑みてなされたものであり、その目的は、電気回路に過電流が生じている場合であって、且つヒューズが溶断されるほど電流が上昇していない場合において、電気回路の電気的導通を速やかに遮断することができる導通遮断装置を提供することにある。
【課題を解決するための手段】
【０００９】
以下、上記目的を達成するための手段及びその作用効果について記載する。
請求項１に記載の発明は、ハウジング内部の収容室に移動可能に収容された可動部材と、前記収容室に配設されて作動信号の入力に伴いガスを発生するガス発生器と、前記ハウジング内に延設された導通部材とを備え、前記導通部材は該導通部材を流れる電流が所定値以上となると溶断する部位を含むヒューズ部が形成されてなり、前記ヒューズ部は、前記ガス発生器が発生するガスの圧力により前記可動部材が移動することで分断されることをその要旨とする。
【００１０】
上記構成では、導通部材に、同導通部材を流れる電流が所定値以上となった場合に自己的に溶断する部位を含むヒューズ部を形成した。また、そのヒューズ部を、ガス発生器に所望のタイミングで信号を出力することによって分断できるようにした。そのため、異常が発生して電気回路に大きな電流が生じた場合には、ヒューズの自己的な溶断によって電気回路の導通を速やかに遮断することができる。一方、ヒューズが溶断されるほど電流が上昇しない場合でも、ガス発生器に信号を出力することによりヒューズ部を分断することができる。したがって、電気回路に過電流が生じている場合であって、且つヒューズが溶断されるほど電流が上昇していない場合において、電気回路の電気的導通を速やかに遮断することができる。
【００１１】
請求項２に記載の発明は、請求項１に記載の発明において、前記ヒューズ部には分断予定部が形成され、前記可動部材は前記導通部材に固定されて前記ガスの圧力により同導通部材と一体に移動することで前記分断予定部に引っ張り力を付与することをその要旨とする。
【００１２】
上記構成では、可動部材と導通部材とが固定されているため、ガスの発生に伴い可動部材が移動すると、ヒューズ部の分断予定部に引っ張り力が付与され、その引っ張り力により導通部材は分断予定部を起点として分断される。したがって、上記構成によれば、簡単な構成で導通部材を分断させて電気回路の電気的導通を遮断することができる。
【００１３】
請求項３に記載の発明は、請求項１に記載の発明において、前記ヒューズ部は、前記可動部材の移動方向前方を遮る形状で延設されてなり、前記可動部材には、その移動方向前方に突設した切断部が形成されてなることをその要旨とする。
【００１４】
上記構成では、ガスの発生に伴い可動部材が移動すると、可動部材の切断部によって導通部材のヒューズ部が切断される。したがって、こうした構成によっても、簡単な構成で電気回路の電気的導通を遮断することができる。
【００１５】
請求項４に記載の発明は、請求項１〜３のいずれか一項に記載の発明において、前記収容室において前記可動部材が移動するときに該可動部材と当接する部分の形状が、前記可動部材の移動方向前方ほど先細の形状に形成されてなることをその要旨とする。
【００１６】
上記構成では、収容室の形状が可動部材の移動方向前方ほど先細の形状に形成されているため、ガスの発生により可動部材が移動した後、可動部材が収容室の壁面に狭圧されてその位置に保持されるようになる。そのため、導通部材を分断した後に可動部材が移動前の位置に戻ることが抑制され、導通部材のヒューズ部を分断された状態に維持することができる。したがって、同装置による導通の遮断を好適に行うことができるようになる。
【００１７】
なお、請求項１〜４のいずれか一項に記載の導通遮断装置は、請求項５に記載の発明によるように、車両に搭載されるバッテリに対して接続状態又は非接続状態とされることにより前記バッテリの導通、非導通を切替えるサービスプラグとして具現化することができる。
【発明の効果】
【００１８】
本発明によれば、電気回路に過電流が生じている場合であって、且つヒューズが溶断されるほど電流が上昇していない場合において、電気回路の電気的導通を速やかに遮断することができる導通遮断装置を提供することができる。
【図面の簡単な説明】
【００１９】
【図１】本発明の第１の実施形態にかかるサービスプラグがそのバッテリに接続される車両の電気回路を示す回路図。
【図２】バッテリ及びバッテリに接続されるサービスプラグの構造を示す斜視図。
【図３】同実施形態にかかるサービスプラグの断面構造を示す断面図。
【図４】サービスプラグに設けられた導通部材の構造について、その一例を示す斜視図。
【図５】同実施形態にかかるサービスプラグの作動態様を示す断面図。
【図６】本発明の第２の実施形態にかかるサービスプラグの断面構造を示す断面図。
【図７】同実施形態にかかるサービスプラグの作動態様を示す断面図。
【発明を実施するための形態】
【００２０】
（第１の実施形態）
以下、本発明にかかる導通遮断装置をハイブリッド自動車のサービスプラグとして具体化した第１の実施形態について、図１〜図５を参照して説明する。
【００２１】
図１に示すように、ハイブリッド自動車の電気回路は、バッテリ１と、車輪に駆動力を付与するモータ２とを有している。バッテリ１から出力された電力は、まずコンバータ３により昇圧される。そして、コンバータ３から出力された直流電力が、インバータ４によって交流電力に変換される。その後、インバータ４から出力された交流電力がモータ２に供給されることによって車輪に駆動力が付与される。また、バッテリ１とコンバータ３との間には、その開閉状態を切替えることによって電気回路の導通、非導通状態を切替えるリレー回路５が設けられている。
【００２２】
また、車両には、車両の運転状態を検出するための各種センサが取付けられている。各種センサとしては、例えば、車両の衝突を検出する衝突センサ６や、電気回路内の電流を検出するための電流センサ７等が設けられている。これらセンサの信号は電子制御装置８に入力される。電子制御装置８は、コンバータ３やインバータ４を制御する他、車両のメインスイッチの操作状態に基づいてリレー回路５の開閉状態を切替える制御を実行する。
【００２３】
なお、車両に搭載されるバッテリ１には、走行用のモータ２を駆動するために高電圧のバッテリが採用されている。そのため、車両の点検や整備の際には、作業者の安全を確保するために、電気回路を非導通状態とすることが望ましい。そこで、バッテリ１には、それを取り外すことによってバッテリ１を非導通状態とすることのできるサービスプラグ９が設けられている。
【００２４】
次に、バッテリ１及びバッテリ１に接続されるサービスプラグ９の構造について説明する。
図２に示すように、バッテリ１のケース１０には、その内部に２つのセルユニット１１が設けられている。セルユニット１１は、電力を生成するセル板を複数枚電気的に接続したものである。バッテリ１のケース１０には、一対の凹部１２が形成されている。これら凹部１２には、一端がセルユニット１１に接続されるとともに、他端がケース１０から突出するセルユニット接続端子１３が設けられている。また、電気回路に電力を供給するために、バッテリ１には、そのケース１０から突出する一対の電極１４が設けられている。電極１４の一方はリレー回路５に接続され、他方はコンバータ３に接続されている。
【００２５】
セルユニット接続端子１３には、サービスプラグ９が接続される。サービスプラグ９は一対の外部接続部１５を有しており、この外部接続部１５の間には導電性の材料（例えば、銅等）からなる導通部材１６が延設されている。したがって、サービスプラグ９がセルユニット接続端子１３に接続されると、セルユニット１１間が電気的に接続されてバッテリ１が導通状態となる。こうしてバッテリ１が導通状態となると、バッテリ１から電気回路に電力を供給することが可能となる。一方、車両点検時等には、作業者がサービスプラグ９をバッテリ１から取り外すことでセルユニット１１間の電気的接続を遮断して、バッテリ１を非導通状態とすることができる。したがって、電気回路に不要な電流が流れることを防止して作業者の安全を確保することができる。
【００２６】
また、サービスプラグ９にはヒューズが設けられている。そのため、車両が衝突等して電気回路に大電流が流れた際には、ヒューズの溶断によってセルユニット１１間の電気的接続が遮断され、電気回路が非導通状態となる。
【００２７】
次に、サービスプラグ９の構造についてさらに詳細に説明する。
図３に示すように、サービスプラグ９には、そのハウジング１７の内部に収容室１８が形成されている。収容室１８には、樹脂等によって形成されて２つの溝部を有する可動部材１９が移動可能に収容されている。なお、本実施形態では、この可動部材１９は図中における右方向に移動可能に配設されている。収容室１８において、可動部材１９の一方の溝部２０（図中における下側の溝部）とハウジング１７とによって区画された空間には、電子制御装置８から入力される作動信号に伴いガスを発生するガス発生器２２が配設されている。こうしたガス発生器２２としては、火薬式のガス発生器や電磁式のガス発生器を用いてもよいし、他の駆動源を用いるガス発生器を用いてもよい。
【００２８】
一方、可動部材１９の他方の溝部２１（図中における上側の溝部）には、その内周部に当接した状態でヒューズ２３が配設されている。ヒューズ２３は、略円筒状に形成された筒部材２４と、導通部材１６においてこの筒部材２４により囲まれたヒューズ部Ｒｈとにより構成されている。この筒部材２４の内部にはケイ砂等の絶縁部材からなる消弧砂２５が充填されている。導通部材１６は、サービスプラグ９に設けられた一対の外部接続部１５間を連通するようにハウジング１７内に延設されている。導通部材１６は、筒部材２４の上底部２６（図中における左側の側部）及び可動部材１９にそれぞれ固定されるとともに、筒部材２４の下底部２７（図中における右側の側部）とは摺動可能に設けられている。
【００２９】
次に、サービスプラグ９に設けられた導通部材１６の構成について説明する。
図４に示すように、導通部材１６は、外部接続部１５の内部に突出して、セルユニット接続端子１３に挿嵌される円柱形状の一対の端子２８と、この端子２８の端部が接続された薄板状の板部２９とから構成されている。板部２９においてヒューズ２３を構成するヒューズ部Ｒｈの一部には、複数の孔３０が穿設されている。この孔３０が穿設されている部位は、他の部位と比較して断面積が小さく、電流が流れた際の抵抗が大きいため、発熱量が大きい。したがって、導通部材１６に所定値以上の電流が流れた際には、この孔３０が穿設されている部位において導通部材１６が溶断されることとなる。
【００３０】
また、ヒューズ部Ｒｈにおいて、溶断する部位とは異なる部位には、三角形状に切欠かれたスリットが分断予定部３１として形成されている。そのため、導通部材１６に引っ張り力が付与されたときには、この分断予定部３１に応力が集中して、導通部材１６が分断されることとなる。
【００３１】
一方、板部２９には、導通部材１６の延設方向と垂直な方向（図中における上下方向）に湾曲した湾曲部３２が形成されている。この湾曲部３２は、図３に示すように、収容室１８に位置している。
【００３２】
また、図３に示すように、収容室１８は、その下側の壁部３３が可動部材１９の移動方向前方（図中における右側）ほど上方に位置する先細の形状とされている。
次に、こうした構成を備えるサービスプラグ９の作用について説明する。
【００３３】
衝突センサ６により車両の衝突が検出された場合や、電流センサ７により電気回路に流れる電流が所定値以上であることが検出された場合、電子制御装置８はガス発生器２２に作動信号を出力する。
【００３４】
図５に示すように、こうしてガス発生器２２に作動信号が入力されると、同ガス発生器２２が作動してガスを発生する。そして、この発生したガスの圧力により可動部材１９が押圧され、収容室１８の壁面に沿って移動する。この可動部材１９の移動に伴って導通部材１６のヒューズ部Ｒｈに引っ張り力が付与される。その結果、導通部材１６は、分断予定部３１を起点として分断される。
【００３５】
また、収容室１８の形状が可動部材１９の移動方向前方ほど先細の形状とされている。そのため、可動部材１９が移動したときに、可動部材１９は収容室１８においてその移動方向前方側の部分に嵌り込み、同収容室１８の壁面によって挟圧される。その結果、可動部材１９が移動後の位置に保持され、導通部材１６が分断されたままの状態に維持することができる。
【００３６】
なお、導通部材１６に形成された湾曲部３２は、可動部材１９の移動に伴い湾曲する。そのため、可動部材１９の移動を円滑に行うことができる。また、ヒューズ２３には、絶縁部材からなる消弧砂２５が充填されている。そのため、導通部材１６が分断されるときにその間隙に消弧砂２５が流入して、導通部材１６間にアーク放電が発生することを抑制することができる。
【００３７】
以上説明した第１の実施形態によれば、以下の効果が得られるようになる。
（１）本実施形態では、導通部材１６には、同導通部材１６を流れる電流が所定値以上となった場合に自己的に溶断する部位を含むヒューズ部Ｒｈを形成している。そのため、異常が発生して電気回路に大きな電流が生じた場合には、ヒューズ部Ｒｈの自己的な溶断によって電気回路の導通を速やかに遮断することができる。また、ヒューズ部Ｒｈに分断予定部３１を形成した。そして、可動部材１９と導通部材１６とを固定して、ガス発生器２２に所望のタイミングで信号を出力することによって発生するガスの圧力により可動部材１９と導通部材１６とを一体に移動させるようにしている。そしてこの移動に伴って、ヒューズ部Ｒｈの分断予定部３１に引っ張り力を付与して、導通部材１６を分断するようにしている。そのため、ヒューズ２３が溶断されるほど電流が上昇しない場合でも、ガス発生器２２に信号を出力することによりヒューズ部Ｒｈを分断することができる。したがって、電気回路に過電流が生じている場合であって、且つヒューズ２３が溶断されるほど電流が上昇していない場合において、電気回路の電気的導通を速やかに遮断することができる。
【００３８】
（２）本実施形態では、収容室１８において可動部材１９が移動するときに同可動部材１９と当接する部分の形状を可動部材１９の移動方向前方ほど先細の形状に形成している。そのため、ガスの発生により可動部材１９が移動した後、可動部材１９が収容室１８の壁面に狭圧されてその位置に保持されることとなり、導通部材１６を分断した後に可動部材１９が移動前の位置に戻ることを抑制することができる。したがって、電気回路の遮断を好適に行うことができるようになる。
【００３９】
（３）本実施形態では、導通部材１６に湾曲部３２を形成し、可動部材１９が移動するときに同可動部材１９に固定されている部分よりも移動方向前方側で導通部材１６を湾曲させるようにしいる。そのため、可動部材１９の移動を円滑に行うことができる。
【００４０】
（４）本実施形態では、ヒューズ２３の筒部材２４の内部に絶縁部材からなる消弧砂２５を充填している。そのため、導通部材１６が分断されるときにその間隙に消弧砂２５が流入して、導通部材１６間にアーク放電が発生することを抑制することができる。
（第２の実施形態）
次に、本発明にかかる導通遮断装置をサービスプラグ９に具体化した第２の実施形態について、図６及び図７を参照して説明する。本実施形態では、サービスプラグ９の構造が上記第１の実施形態のものと異なっている。なお、本実施形態において、第１の実施形態と同様の構成については、共通の符号を付してその詳細な説明は省略する。
【００４１】
まず、本実施形態のサービスプラグ９の構成について説明する。
図６に示すように、サービスプラグ９には、そのハウジング１７の内部に収容室３４が形成されている。収容室３４には、可動部材３５が上下方向に移動可能に収容されている。可動部材３５は有蓋円筒状に形成された基端部３６と、基端部３６から移動方向前方（図中における上方向）に突設された板状の切断部３７とから構成されている。基端部３６には、基端部３６における他の部位よりも外周側に拡径された拡径部３８が設けられている。
【００４２】
収容室３４において、可動部材３５の基端部３６の内周と、ハウジング１７とにより区画された空間には、電子制御装置８からの作動信号の入力に伴いガスを発生するガス発生器２２が配設されている。可動部材３５は、その切断部３７の先端がヒューズ３９の筒部材４０に形成された挿通孔４１を介してその内部に位置している。
【００４３】
ヒューズ３９は、略円筒状に形成された筒部材４０と、導通部材４２においてこの筒部材４０により囲まれたヒューズ部Ｒｈとにより構成されている。この筒部材４０の内部にはケイ砂等の絶縁部材からなる消弧砂４３が充填されている。導通部材４２は、サービスプラグ９に設けられた一対の外部接続部１５間を連通して、可動部材３５の移動方向前方を遮るように左右に延びる形状でハウジング１７内に延設されている。
【００４４】
導通部材４２においてヒューズ部Ｒｈの一部には、複数の孔３０が穿設されている。この孔３０が穿設された部位は、他の部位と比較して断面積が小さく、電流が流れた際の抵抗が大きいため、発熱量が大きい。したがって、導通部材４２に所定値以上の電流が流れた際には、この孔３０が穿設されている部位において導通部材４２が溶断されることとなる。また、ヒューズ部Ｒｈにおいて、溶断する部位とは異なる部位には、三角形状に切欠かれたスリットが分断予定部３１として形成されている。そのため、導通部材４２に押圧力が付与されたときには、この分断予定部３１に応力が集中して、導通部材４２が分断されることとなる。また、筒部材４０の内周には、導通部材４２に向かって板状をなす一対の支持部４４が延設されている。
【００４５】
収容室３４には、上方収容室４５と同上方収容室４５よりも拡径された下方収容室４６とが形成されている。上方収容室４５と下方収容室４６との間には段差部４７が形成されている。上方収容室４５は、可動部材３５の移動方向前方（図中における上方）ほどその断面積が減少する先細のテーパ形状とされている。
【００４６】
次に、こうした構成を備えるサービスプラグ９の作用について説明する。
衝突センサ６により車両の衝突が検出された場合や、電流センサ７により電気回路に流れる電流が所定値以上であることが検出された場合、電子制御装置８はガス発生器２２に作動信号を出力する。
【００４７】
図７に示すように、こうしてガス発生器２２に信号が入力されると、同ガス発生器２２が作動してガスを発生する。そして、この発生したガスの圧力により可動部材３５が押圧され、収容室３４の壁面に沿って上方へ移動する。可動部材３５の切断部３７が導通部材４２のヒューズ部Ｒｈに衝突すると、ヒューズ部Ｒｈに押圧力が付与される。また、このとき、筒部材４０に形成された支持部４４は、導通部材４２の上方への移動を規制する。その結果、ヒューズ部Ｒｈの分断予定部３１に付与される押圧力が増大し、導通部材４２は分断予定部３１を起点として分断される。その後、可動部材３５は、その拡径部３８が段差部４７に突き当たるまで移動を続ける。なお、筒部材４０内の消弧砂４３は、筒部材４０の内部における切断部３７の移動が許容される程度にその充填量が設定されている。
【００４８】
また、収容室３４の上方収容室４５の形状が、可動部材３５の移動方向前方ほど先細のテーパ形状とされている。そのため、可動部材３５が段差部４７まで移動したときに、可動部材３５は収容室３４においてその移動方向前方側の部分に嵌り込み、同収容室３４の壁面によって挟圧される。その結果、可動部材３５が移動後の位置に保持され、導通部材４２が分断されたままの状態に維持することができる。
【００４９】
なお、導通部材４２が分断されたときにその間隙に消弧砂４３が流入して、導通部材４２間にアーク放電が発生することを抑制することができる。
以上説明したように、本実施形態によれば、上記（２）及び（４）に記載の効果に加え、更に以下の効果が得られるようになる。
【００５０】
（５）本実施形態では、導通部材４２には、同導通部材４２を流れる電流が所定値以上となった場合に自己的に溶断する部位を含むヒューズ部Ｒｈを形成している。そのため、異常が発生して電気回路に大きな電流が生じた場合には、ヒューズ部Ｒｈの自己的な溶断によって電気回路の導通を速やかに遮断することができる。また、導通部材４２のヒューズ部Ｒｈを可動部材３５の移動方向前方を遮る形状で延設し、可動部材３５には、その移動方向前方に突設した切断部３７を形成した。そして、ガス発生器２２に所望のタイミングで信号を出力することによって発生されるガスの圧力により、可動部材３５を移動させてその切断部３７により導通部材４２に押圧力を作用させ、ヒューズ部Ｒｈを分断予定部３１を起点として分断するようにしている。そのため、ヒューズ３９が溶断されるほど電流が上昇しない場合でも、ガス発生器２２に信号を出力することによりヒューズ部Ｒｈを分断することができる。したがって、電気回路に過電流が生じている場合であって、且つヒューズ３９が溶断されるほど電流が上昇していない場合において、電気回路の電気的導通を速やかに遮断することができる。
（他の実施形態）
上記各実施形態は、以下のように変更して実施することもできる。
【００５１】
・第１の実施形態では、導通部材１６にその延設方向と垂直な方向に湾曲した湾曲部３２を形成していたが、湾曲部３２の形状はこうした形状に限られるものではない。また、湾曲部３２を設けない構成としてもよい。
【００５２】
・第２の実施形態では、筒部材４０の内周に支持部４４を設けたが、切断部３７により導通部材４２を切断することが可能であれば、こうした構成は省略してもよい。
・上記各実施形態では、ヒューズ２３、３９の構成として筒部材２４、４０の内部に消弧砂２５、４３を充填する構成を示したが、導通部材１６、４２が分断された際のアーク放電による影響がそれほど大きくない場合には、こうした消弧砂２５、４３を充填しなくてもよい。
【００５３】
・上記各実施形態では、分断予定部３１として三角形状のスリットを形成したが、例えば半円形状や矩形状等、他の形状のスリットを形成するようにしてもよい。また、ヒューズ部Ｒｈにおいて、複数の孔３０が穿設された溶断が生じる部位とは異なる部位に分断予定部３１を形成していたが、この溶断が生じる部位にスリットを形成する等して同部位に分断予定部３１を形成するようにしてもよい。
【００５４】
・上記各実施形態において、導通部材１６、４２におけるヒューズ部Ｒｈの溶断が生じる部位の形状として複数の孔３０が穿設された構成を示したが、この孔３０は単数であってもよいし、スリット等の他の形状であってもよい。また、導通部材１６、４２の一部の厚さを他の部位よりも薄くする等して溶断される部位を形成してもよい。
【００５５】
・上記各実施形態では、分断予定部３１と、溶断される部位とを別々に形成するようにしていたが、この溶断される部位は孔３０が形成される等して他の部分よりも剛性が低く分断されやすいため、この部位を分断予定部３１としてもよい。
【００５６】
・上記各実施形態では、本発明の導通遮断装置を車両のバッテリ１に取り付けられるサービスプラグ９に具現化した例を示したが、電気回路のその他の部位の電気的導通を遮断するものとして具現化することも可能である。
【００５７】
・上記各実施形態では、ハイブリッド自動車に本発明を適用した例を示したが、電気自動車等の他の車両に適用してもよいし、例えば医療用機器等、車両以外のその他の装置の電気回路においても適用することが可能である。
【符号の説明】
【００５８】
１…バッテリ、２…モータ、３…コンバータ、４…インバータ、５…リレー回路、６…衝突センサ、７…電流センサ、８…電子制御装置、９…サービスプラグ、１０…ケース、１１…セルユニット、１２…凹部、１３…セルユニット接続端子、１４…電極、１５…外部接続部、１６、４２…導通部材、１７…ハウジング、１８、３４…収容室、１９、３５…可動部材、２０…一方の溝部、２１…他方の溝部、２２…ガス発生器、２３、３９…ヒューズ、２４、４０…筒部材、２５、４３…消弧砂、２６…上底部、２７…下底部、２８…端子、２９…板部、３０…孔、３１…分断予定部、３２…湾曲部、３３…壁部、３６…基端部、３７…切断部、３８…拡径部、４１…挿通孔、４４…支持部、４５…上方収容室、４６…下方収容室、４７…段差部。
【図１】
2014049272.tif 000003
【図２】
2014049272.tif 000004
【図３】
2014049272.tif 000005
【図４】
2014049272.tif 000006
【図５】
2014049272.tif 000007
【図６】
2014049272.tif 000008
【図７】
2014049272.tif 000009